(57)【要約】【課題】物品の収納が容易で物品の改竄を確実に防止できる改竄防止用のジッパーテープを備えたジッパーテープ付袋体を提供する。【解決手段】雄側帯状基部２２１における第一の雄側鈎部２２２の基端の開口端１２側に、雄側帯状基部２２１の表面から段差状に薄肉部２２４を設け、薄肉部２２４から開口端１２側を切除される切断片２２５とする。雌側帯状基部２１１は、咬合部Ｘ，Ｙが連設された側と反対側の面が袋本体１０の内面に取り付けられ、雄側帯状基部２２１は、咬合部Ｘ，Ｙが連設する位置から開口端１２側に対応する一縁側を袋本体１０に取り付けず、接合領域Ｅのみ取り付ける。物品の収納時に袋本体１０を開口する際、切断片２２５を把持することで咬合を解除して開封できる。切断片２２５を切除後の改竄防止袋では、開封しようとしてもジッパーテープ２０に剪断させる方向に力が作用し、開封できない。【選択図】図７
2015217981.tif 000002
【特許請求の範囲】
【請求項１】
一対の雄側鈎部および雌側鈎部が互いに咬合可能な咬合部と、前記咬合部にそれぞれ連設する一対の帯状基部とを備え、袋本体の内面に取り付けられるジッパーテープであって、
前記雄側鈎部または前記雌側鈎部を有する帯状基部のうちの少なくとも一方は、
前記帯状基部の長手方向の一縁で、かつ前記咬合部の基端に位置して連設された切断可能部と、
前記切断可能部に連設され把持可能な把持片部と、を備えた
ことを特徴とするジッパーテープ。
【請求項２】
一対の雄側鈎部および雌側鈎部が互いに咬合可能な咬合部と、前記咬合部にそれぞれ連設する一対の帯状基部とを備え、袋本体の内面に取り付けられるジッパーテープであって、
前記雄側鈎部または前記雌側鈎部を有する帯状基部の双方は、
前記帯状基部の長手方向の一縁で、かつ前記咬合部の基端に位置して連設された切断可能部と、
前記切断可能部に連設され把持可能な把持片部と、をそれぞれ備えた
ことを特徴とするジッパーテープ。
【請求項３】
一対の雄側鈎部および雌側鈎部が互いに咬合可能な咬合部と、前記咬合部にそれぞれ連設する一対の帯状基部とを備え、袋本体の内面に取り付けられるジッパーテープであって、
前記雄側鈎部または前記雌側鈎部を有する帯状基部のうちのいずれか一方は、
前記帯状基部の長手方向の一縁で、かつ前記咬合部の基端に位置して連設された切断可能部と、
前記切断可能部に連設され把持可能な把持片部と、を備えた
ことを特徴とするジッパーテープ。
【請求項４】
請求項１から請求項３までのいずれか一項に記載のジッパーテープにおいて、
前記切断可能部は、前記把持片部が当該切断可能部で切断された状態で、前記咬合部が連設する位置から当該切断可能部までの帯状基部を把持不可能となる位置に設けられた
ことを特徴とするジッパーテープ。
【請求項５】
請求項１から請求項４までのいずれか一項に記載のジッパーテープにおいて、
前記咬合部は、複数対設けられた
ことを特徴とするジッパーテープ。
【請求項６】
請求項５に記載のジッパーテープにおいて、
前記帯状基部の少なくともいずれか一方には、前記複数の咬合部間に位置して設けられ、当該帯状基部における厚さ方向での曲げ応力より小さい応力で厚さ方向に屈曲可能な変形部が設けられている
ことを特徴とするジッパーテープ。
【請求項７】
請求項５または請求項６に記載のジッパーテープにおいて、
前記切断可能部に近接する咬合部以外の咬合部のうちの少なくともいずれか１つは、咬合する前記雌側鈎部または前記雄側鈎部に向けて突出し、前記帯状基部に対向する斜面を有する咬合雄側爪部または咬合雌側爪部を備え、
前記咬合雄側爪部または前記咬合雌側爪部は、前記斜面の接線と、前記帯状基部の垂線とのなす角θが９０°以下に形成された
ことを特徴とするジッパーテープ。
【請求項８】
請求項１から請求項７までのいずれか一項に記載のジッパーテープにおいて、
前記切断可能部が設けられた帯状基部に連設する雄側鈎部または雌側鈎部は、咬合する前記雌側鈎部または前記雄側鈎部に向けて突出し、前記帯状基部に面する斜面を有する第一雄側爪部または第一雌側爪部を備え、
前記第一雄側爪部または前記第一雌側爪部は、前記斜面の接線と、前記帯状基部の垂線とのなす角αが９０°以上に形成された
ことを特徴とするジッパーテープ。
【請求項９】
請求項８に記載のジッパーテープにおいて、
前記第一雄側爪部を有した雄側鈎部または前記第一雌側爪部を有した雌側鈎部は、前記雌側鈎部または前記雄側鈎部に向けて突出し、前記帯状基部に面する斜面を有する第二雄側爪部または第二雌側爪部を備え、
前記第二雄側爪部または前記第二雌側爪部は、前記斜面の接線と、前記帯状基部の垂線とのなす角βが９０°以下に形成された
ことを特徴とするジッパーテープ。
【請求項１０】
請求項１から請求項９までのいずれか一項に記載のジッパーテープにおいて、
前記帯状基部は、前記咬合部が連設する側と反対側の面にリブが突設された
ことを特徴とするジッパーテープ。
【請求項１１】
請求項１から請求項１０までのいずれか一項に記載のジッパーテープにおいて、
前記切断可能部は、少なくとも前記咬合部が連設する側と反対側の面から後退した段差状に薄肉に形成されている
ことを特徴とするジッパーテープ。
【請求項１２】
袋本体と、
前記袋本体の内面に取り付けられる請求項２に記載のジッパーテープと、
を具備したことを特徴とするジッパーテープ付袋体。
【請求項１３】
請求項１２に記載のジッパーテープ付袋体であって、
前記ジッパーテープは、前記切断可能部から前記袋本体の開口側に対応する前記把持片部が切除され、
前記袋本体は、前記ジッパーテープの切断可能部に沿って切断された
ことを特徴とするジッパーテープ付袋体。
【請求項１４】
袋本体と、
前記袋本体の内面に取り付けられる請求項１および請求項３から請求項１１までのいずれか一項に記載のジッパーテープと、を具備し、
前記切断可能部が設けられた一方の帯状基部のみ、前記咬合部が連設する位置から前記袋本体の開口側に対応する一縁までが前記袋本体に取り付けられていない
ことを特徴とするジッパーテープ付袋体。
【請求項１５】
請求項１２から請求項１４までのいずれか一項に記載のジッパーテープ付袋体において、
前記切断可能部が設けられた帯状基部は、前記袋本体に融着される長手方向の両端部における融着部分より前記袋本体の内側に位置して、前記切断可能部から前記袋本体の開口側に対応する前記把持片部の一縁側まで切断され、もしくは肉薄に形成された切断部を有している
ことを特徴とするジッパーテープ付袋体。
【請求項１６】
請求項１２から請求項１５までのいずれか一項に記載のジッパーテープ付袋体において、
前記把持片部が前記切断可能部で切除された
ことを特徴とするジッパーテープ付袋体。
【請求項１７】
請求項１２に記載のジッパーテープ付袋体内に物品を収納する物品収納方法であって、
前記袋本体の開口を開け広げる開口工程と、
前記開口工程で開口が広げられた袋本体内に前記物品を収納する収納工程と、
前記収納工程後に前記ジッパーテープの咬合部を咬合させる咬合工程と、
前記収納工程後に前記ジッパーテープの帯状基部における前記切断可能部から前記袋本体の開口側に対応する一縁側とともに前記切断可能部で前記把持片部を切除する切除工程と、を実施する
ことを特徴とするジッパーテープ付袋体の物品収納方法。
【請求項１８】
請求項１４に記載のジッパーテープ付袋体内に物品を収納する物品収納方法であって、
前記袋本体に取り付けられていない帯状基部に連設する把持片部を把持するとともに、前記把持された帯状基部に対向する他方の帯状基部が取り付けられた袋本体の開口側を把持して前記袋本体の開口を開け広げる開口工程と、
前記開口工程で開口が広げられた袋本体内に前記物品を収納する収納工程と、
前記収納工程後に前記ジッパーテープの咬合部を咬合させる咬合工程と、
前記収納工程後に前記袋本体に取り付けられていない帯状基部における前記切断可能部から前記把持片部を切除する切除工程と、を実施する
ことを特徴とするジッパーテープ付袋体の物品収納方法。
【請求項１９】
基材フィルムが重ね合わされて形成される袋本体の内面に、請求項１および請求項３から請求項１１までのいずれか一項に記載のジッパーテープを取り付けてジッパーテープ付袋体を製造する製造方法であって、
前記切断可能部を介して前記把持片部が設けられた帯状基部を、前記把持片部が前記咬合部より前記袋本体の開口側に対応する位置で前記基材フィルムに配置させ、
前記把持片部が設けられた一方の帯状基部は、前記咬合部が連設する位置より前記袋本体の内側に対応する領域のみ前記基材フィルムに取り付け、
他方の帯状基部は、少なくとも前記咬合部より前記袋本体の開口側および内側に対応する領域で前記基材フィルムに取り付ける
ことを特徴とするジッパーテープ付袋体の製造方法。
【請求項２０】
請求項１９に記載のジッパーテープ付袋体の製造方法であって、
前記ジッパーテープが取り付けられた基材フィルムを重ね合わせて前記袋本体を形成した後、前記ジッパーテープの長手方向の両端部における前記袋本体に融着された融着部分より前記袋本体の内側に位置して、前記切断可能部から前記把持片部を、前記袋本体の外面側から切断し、もしくは肉薄に潰して切断部を形成する
ことを特徴とするジッパーテープ付袋体の製造方法。
【請求項２１】
基材フィルムが重ね合わされて形成される袋本体の内面に、請求項１および請求項３から請求項１１までのいずれか一項に記載のジッパーテープを取り付けてジッパーテープ付袋体を製造する製造装置であって、
前記切断可能部を介して前記把持片部が設けられた帯状基部を、前記把持片部が前記咬合部より前記袋本体の開口側に対応する位置で前記基材フィルムに配置させる配置部と、
前記把持片部が設けられた一方の帯状基部のみ、前記咬合部が連設する位置より前記袋本体の内側に対応する領域のみ前記基材フィルムに取り付ける片側取付部と、
他方の帯状基部は、少なくとも前記咬合部より前記袋本体の開口側および内側に対応する領域で前記基材フィルムに取り付ける全面取付部と、
を具備したことを特徴とするジッパーテープ付袋体の製造装置。
【発明の詳細な説明】
【技術分野】
【０００１】
本発明は、ジッパーテープ、ジッパーテープ付袋体、ジッパーテープ付袋体の物品収納方法、ジッパーテープ付袋体の製造方法、および、ジッパーテープ付袋体の製造装置に関する。
【背景技術】
【０００２】
従来、袋体に詰め込んだ商品を展示した時や、輸送時、その他において、商品を収納した袋を故意に開封し、商品が改竄されることがある。
例えば、スーパーマーケットなどの小売店や充填業者などにおいて、袋体に商品を詰め、その後、袋体に封をした後、売り場で展示販売、もしくは小売店に搬入することがある。
ここで、袋体に商品を詰め、その後に封をするために、袋体を開閉する手段として、ヒートシール装置を必要とせず簡易に充填するという観点から、袋本体の互いに対向する面に接合されたジッパーテープを用いることがある。
ジッパーテープは、雄部材と雌部材とが着脱自在とされた構造であるため、袋体に封をする作業と開封する作業が簡易に行えるという有利な点があるものの、袋体に封をして一度収納した後に、袋体を開封して商品を容易に取り出せるという不利な点もある。そのため、商品の改竄防止という点からは、ジッパーテープ付き袋体は利用しにくい。
【０００３】
このようなジッパーテープ付袋体において、改竄防止のための機能を備えた構成が知られている（例えば、特許文献１，２参照）。
特許文献１に記載のものは、長手帯状の嵌合基部と、この嵌合基部の長手方向に沿って他部材が嵌合する渦巻き状の嵌合凹溝を有する係止部と、この係止部に接合し嵌合基部に連結する支持部とを備えた帯状係止部材がある。
この特許文献１では、一対の帯状係止部材が互いに嵌合することでジッパーテープとして機能する。係止部は、嵌合凹溝の一方の開口縁近傍に他部材と係合する内方に向けて突出する係合爪部を有する。支持部は、係止部との接合する位置が、係合爪部が他部材に係合する係合位置から嵌合基部に向けた垂線よりも、嵌合凹溝の他方の開口縁側に変位した位置に設けられている。支持部は、係止部が他部材と嵌合した状態から互いに離間する方向に引っ張り力を作用させて嵌合状態が解除される強度より小さい強度に形成される。
【０００４】
特許文献２に記載のものは、一方の帯状支持片が曲折枢動状態で袋の内部に向き、他方の帯状支持片が曲折枢動状態で袋の口を向くように、肉厚に形成された一縁側が袋に取り付けられている。袋を開けようとした際、対をなす帯状支持片が曲折枢動状態となってそれぞれのフックが互いに噛み合うようになり、改竄防止する構成が採られている。
【先行技術文献】
【特許文献】
【０００５】
【特許文献１】特開２０１１−３６６４２号公報
【特許文献２】特開２０１２−４１０８９号公報
【発明の概要】
【発明が解決しようとする課題】
【０００６】
上記特許文献１で示される改竄防止機能では、一対の帯状係止部材を一度嵌合した後に開封しようとすると、嵌合する係止部同士に剪断応力が作用して係合爪部が互いに咬み込む状態となり、開封しにくくなる。
しかし、特許文献１で示される改竄防止機能では、ジッパーテープが複雑な形状であるため、製造が困難であるとともに、搬送時に破損しないように注意が必要となる。また、特許文献１で示される改竄防止機能では、無理やりジッパーテープを開封しようとしてさらに強い力を加えると、係止部が損傷したり、支持部が切断されたりすることで開封できてしまうという不具合があった。つまり、特許文献１で示される改竄防止機能は、封入後に開封状態を判断するのみであって、改竄のために、開封自体を阻止するものではない。このように袋が開封されてしまったのでは、商品の改竄対策としては十分とはいえない。
また、特許文献２では、対をなす帯状支持片は、力の作用を受けていない静止状態で自由端側が袋から間隔を開けて離れている状態となっている。このことから、それぞれのフックを咬合させて封止する際に、力が作用して折曲枢動状態となり、適切にフックが咬合できなくなってしまうおそれがある。このため、部分的に咬合していないなど、咬合が十分でない場合には容易に開封されてしまい、改竄防止機能を発揮できないおそれがある。
【０００７】
本発明の目的は、物品の収納が容易で、かつ収納した物品の改竄を確実に防止できるジッパーテープ、ジッパーテープ付袋体、ジッパーテープ付袋体の物品収納方法、ジッパーテープ付袋体の製造方法、および、ジッパーテープ付袋体の製造装置を提供することにある。
【課題を解決するための手段】
【０００８】
本発明のジッパーテープは、一対の雄側鈎部および雌側鈎部が互いに咬合可能な咬合部と、前記咬合部にそれぞれ連設する一対の帯状基部とを備え、袋本体の内面に取り付けられるジッパーテープであって、前記雄側鈎部または前記雌側鈎部を有する帯状基部のうちの少なくとも一方は、前記帯状基部の長手方向の一縁で、かつ前記咬合部の基端に位置して連設された切断可能部と、前記切断可能部に連設され把持可能な把持片部と、を備えたことを特徴とする。
この発明では、切断可能部で把持片部を帯状基部から切断可能としている。袋本体に取り付けられた状態で、切断可能部で把持片部を切除することにより、咬合部の咬合後に咬合が外されて袋本体が開封されることを防止でき、確実に改竄を防止することが可能となる。
ここで、切断可能部が設けられる位置の基端とは、切断可能部にて把持片部を切断した際の帯状基部の端部を実質的に把持できない長さ寸法となる位置である。
また、切断可能部としては、薄肉、目打ち部などである。これらの薄肉、目打ち部などは、ジッパーテープの押出成形、刃物を用いたテープの加工、レーザーによる加工などにより形成できる。そして、薄肉としては、帯状基部の少なくともいずれか一方の表面から後退した段差状に形成される構成の他、断面Ｖ字状に薄肉となる構成、凹面状に薄肉となる構成なども含む。
【０００９】
本発明のジッパーテープは、一対の雄側鈎部および雌側鈎部が互いに咬合可能な咬合部と、前記咬合部にそれぞれ連設する一対の帯状基部とを備え、袋本体の内面に取り付けられるジッパーテープであって、前記雄側鈎部または前記雌側鈎部を有する帯状基部の双方は、前記帯状基部の長手方向の一縁で、かつ前記咬合部の基端に位置して連設された切断可能部と、前記切断可能部に連設され把持可能な把持片部と、をそれぞれ備えたことを特徴とする。
この発明では、切断可能部で把持片部を一対の帯状基部からそれぞれ切断可能としている。袋本体に取り付けられた状態で、切断可能部で把持片部を帯状基部から切除することにより、咬合部の咬合後に咬合が外されて袋本体が開封されることを防止でき、確実に改竄を防止することが可能となる。
【００１０】
本発明のジッパーテープは、一対の雄側鈎部および雌側鈎部が互いに咬合可能な咬合部と、前記咬合部にそれぞれ連設する一対の帯状基部とを備え、袋本体の内面に取り付けられるジッパーテープであって、前記雄側鈎部または前記雌側鈎部を有する帯状基部のうちのいずれか一方は、前記帯状基部の長手方向の一縁で、かつ前記咬合部の基端に位置して連設された切断可能部と、前記切断可能部に連設され把持可能な把持片部と、を備えたことを特徴とする。
この発明では、切断可能部で一方の帯状基部から把持片部を切断可能としている。一方の帯状基部を咬合部から切断可能部にて切除される部分のみを袋本体に取り付けられない状態とすることで、咬合部を咬合後に一方の帯状基部から把持片部を切断可能部で切除することにより、袋本体を開封させようとすると、雄側鈎部および雌側鈎部が互いに噛み合う方向に開封力が作用し、咬合が外されて袋本体が開封されることを防止でき、確実に改竄を防止することが可能となる。
【００１１】
そして、本発明では、前記切断可能部は、前記把持片部が当該切断可能部で切断された状態で、前記咬合部が連設する位置から当該切断可能部までの帯状基部を把持不可能となる位置に設けられたことが好ましい。
この発明では、把持片部が切断可能部で切断された状態で、咬合部が連設する位置から切断可能部までの帯状基部を把持不可能となる位置に、把持片部を設けることで、咬合された咬合部を外すことが困難となり、確実に改竄を防止することが可能となる。
【００１２】
また、本発明では、前記咬合部は、複数対設けられたことが好ましい。
この発明では、咬合部を複数対設けることで、咬合力が増大し、確実に改竄を防止することが可能となる。
【００１３】
さらに、本発明では、前記帯状基部の少なくともいずれか一方には、前記複数の咬合部間に位置して設けられ、当該帯状基部における厚さ方向での曲げ応力より小さい応力で厚さ方向に屈曲可能な変形部が設けられていることが好ましい。
この発明では、帯状基部における切断前の把持片部を把持して咬合部の咬合を外す際、帯状基部が変形部で咬合を外す方向へ屈曲して咬合する雄側爪部および咬合雌側爪部が離間する方向に移動されて噛み合いを外す状態となり、咬合の解除が容易にできる。このことから、ジッパーテープを袋本体に取り付けた袋構成とした際の物品の収納作業が容易となる。
【００１４】
そして、本発明では、前記切断可能部に近接する咬合部以外の咬合部のうちの少なくともいずれか１つは、咬合する前記雌側鈎部または前記雄側鈎部に向けて突出し、前記帯状基部に対向する斜面を有する咬合雄側爪部または咬合雌側爪部を備え、前記咬合雄側爪部または前記咬合雌側爪部は、前記斜面の接線と、前記帯状基部の垂線とのなす角θが９０°以下に形成されたことが好ましい。
この発明では、切断可能部に近接する咬合部以外の咬合部として、所定の角θで突出する形状、すなわち帯状基部に向けて折り返すように鈎形状に突出する咬合雄側爪部または咬合雌側爪部を設けることで、切断可能部で把持片部を切断した後の咬合部の咬合を外す際、咬合雄側爪部および咬合雌側爪部が強く噛み合う状態となり、咬合が外されることを確実に防止でき、確実に改竄を防止することが可能となる。
【００１５】
また、本発明では、前記切断可能部が設けられた帯状基部に連設する雄側鈎部または雌側鈎部は、咬合する前記雌側鈎部または前記雄側鈎部に向けて突出し、前記帯状基部に面する斜面を有する第一雄側爪部または第一雌側爪部を備え、前記第一雄側爪部または前記第一雌側爪部は、前記斜面の接線と、前記帯状基部の垂線とのなす角αが９０°以上に形成されたことを特徴とする。
この発明では、咬合部の雄側鈎部または雌側鈎部に、所定の角αで突出する形状、すなわち、山形状に突出する第一の雄側爪部または第一の雌側爪部を設けることで、帯状基部における切断前の把持片部を把持して咬合部の咬合を外す際、咬合する雄側爪部および咬合雌側爪部が離間する方向に移動されて噛み合いを外す状態となり、咬合の解除が容易にできる。このことから、ジッパーテープを袋本体に取り付けた袋構成とした際の物品の収納作業が容易となる。
【００１６】
さらに、本発明では、前記第一雄側爪部を有した雄側鈎部または前記第一雌側爪部を有した雌側鈎部は、前記雌側鈎部または前記雄側鈎部に向けて突出し、前記帯状基部に面する斜面を有する第二雄側爪部または第二雌側爪部を備え、前記第二雄側爪部または前記第二雌側爪部は、前記斜面の接線と、前記帯状基部の垂線とのなす角βが９０°以下に形成されたことが好ましい。
この発明では、咬合部の他方の雌側鈎部または前記雄側鈎部に、所定の角βで突出する形状、すなわち帯状基部に向けて折り返すように鈎形状に突出する第二雌側爪部または第二雄側爪部を設けることで、第一の雄側爪部または第一の雌側爪部との咬合と合わせて、第二雌側爪部または第二雄側爪部の咬合により咬合力をより増大でき、より改竄防止できる。
【００１７】
そして、本発明では、前記帯状基部は、前記咬合部が連設する側と反対側の面にリブが突設されたことが好ましい。
この発明では、帯状基部における咬合部が連設する側と反対側の面に、リブを突設することで、基材フィルムなどの他の部材に融着する際、リブが積極的に他の部材に当接して融着される状態となり、安定した融着性が得られる。
【００１８】
また、本発明では、前記切断可能部は、少なくとも前記咬合部が連設する側と反対側の面から後退した段差状に薄肉に形成されていることが好ましい。
この発明では、咬合部が連設する側と反対側の面から後退した段差状に切断可能部を薄肉に形成することで、基材フィルムなどの他の部材と融着した際、切断可能部が他の部材と融着されることを防止して、切断可能部の位置で把持片部を容易に切断することが可能となる。
【００１９】
本発明のジッパーテープ付袋体は、袋本体と、前記袋本体の内面に取り付けられる本発明のジッパーテープと、を具備したことを特徴とする。
この発明では、一対の帯状基部にそれぞれ切断可能部を介して把持片部を設けたジッパーテープを用いる。物品を袋本体に収納し、切断可能部で把持片部とともに袋本体を切断することで、咬合部の物品が収納された側とは反対側の端縁と袋本体の開口端とが略面一となる。このことにより、咬合部の咬合を外そうとしても、ジッパーテープの咬合部から袋本体の開口端までを把持することができないので、開封操作自体が不可能となる。そのため、物品の改竄が確実に防止される。
ここで、物品の改竄防止のために、物品が収納された袋本体の開口端をヒートシールや超音波シールなどで封止することも考えられる。しかし、小売店などでは、シール装置が準備されていないこともあり、シール装置を簡単に利用することができない環境にある。これに対して、本発明のようにジッパーテープを用いると、物品が収納された後で袋本体の開口端を閉じる際に、咬合部を咬合させるだけでよいので、シール装置を用いることなく、封止作業を容易に行うことができる。
【００２０】
そして、本発明では、前記ジッパーテープは、前記切断可能部から前記袋本体の開口側に対応する前記把持片部が切除され、前記袋本体は、前記ジッパーテープの切断可能部に沿って切断されたことが好ましい。
この発明では、切断可能部から把持片部を切除するとともに、袋本体を切断可能部に沿って切断することで、咬合部の物品が収納された側とは反対側の端縁と袋本体の開口端とが略面一となって、ジッパーテープの咬合部から袋本体の開口端までを把持することができなくなる。このことにより、袋本体に物品を収納して咬合部を咬合させた後は、咬合を外すことができず、開封操作自体が不可能となって、物品の改竄が確実に防止される。
【００２１】
本発明のジッパーテープ付袋体は、袋本体と、前記袋本体の内面に取り付けられる本発明のジッパーテープと、を具備し、前記切断可能部が設けられた一方の帯状基部のみ、前記咬合部が連設する位置から前記袋本体の開口側に対応する一縁までが前記袋本体に取り付けられていないこと特徴とする。
この発明では、切断可能部で把持片部を切断していない状態では、切断可能部から把持片部を把持して咬合を外そうとすると、咬合する雄側鈎部および雌側鈎部が離間する方向に移動されて咬合が外れる状態となり、咬合が解除される。このことから、物品の収納作業者が、袋本体を開口して物品を収納する作業が容易となる。
そして、物品の収納後は、収納作業者が切断可能部で把持片部を切除することで、袋本体の開口側を把持して開封しようとした場合、一対の帯状基部がそれぞれ反対方向で咬合部を剪断する方向に移動する状態となる。このことにより、咬合部の雄側鈎部および雌側鈎部が互いに噛み合う状態となり、咬合を外すことができない。また、仮にジッパーテープの袋本体に取り付けられていない一縁側を把持して咬合を外そうとしても、咬合部の基端で把持片部が切断されて把持することができない。このため、袋本体に物品を収納して咬合部を咬合させ切断可能部で把持片部を切断した後は、開封操作自体が不可能となって、物品の改竄が確実に防止される。
【００２２】
そして、本発明では、前記切断可能部が設けられた帯状基部は、前記袋本体に融着される長手方向の両端部における融着部分より前記袋本体の内側に位置して、前記切断可能部から前記袋本体の開口側に対応する前記把持片部の一縁側まで切断され、もしくは肉薄に形成された切断部を有していることが好ましい。
この発明では、帯状基部の長手方向の両端部における袋本体との融着部分より内側の位置で、切断可能部から把持片部に切断もしくは薄肉となる切断部を設けることで、改竄防止のために切断可能部で把持片部を切断した切断片の長手方向の両端が切断部にて容易に切断され、切断可能部で把持片部を容易に切除できる。
ここで、融着部分とは、サイドシール部、溶断シール部の端部、熱圧着によるジッパーテープと袋本体との隙間の封止部分など、ジッパーテープの長手方向の端部と袋本体とが融着する部分である。
【００２３】
また、本発明では、前記把持片部が前記切断可能部で切除されたことが好ましい。
この発明では、切断可能部から把持片部を切除することで、物品を収納し咬合部を咬合した後は、袋本体の開口側を把持して開封しようとした場合、一対の帯状基部がそれぞれ反対方向で咬合部を剪断する方向に移動する状態となる。このことにより、咬合部の雄側鈎部および雌側鈎部が互いに噛み合う状態となり、咬合を外すことができない。このため、袋本体に物品を収納して咬合部を咬合させた後は、開封操作自体が不可能となって、物品の改竄が確実に防止される。
【００２４】
本発明のジッパーテープ付袋体の物品収納方法は、本発明のジッパーテープ付袋体内に物品を収納する物品収納方法であって、前記袋本体の開口を開け広げる開口工程と、前記開口工程で開口が広げられた袋本体内に前記物品を収納する収納工程と、前記収納工程後に前記ジッパーテープの咬合部を咬合させる咬合工程と、前記収納工程後に前記ジッパーテープの帯状基部における前記切断可能部から前記袋本体の開口側に対応する一縁側とともに前記切断可能部で前記把持片部を切除する切除工程と、を実施することを特徴とする。
この発明では、袋本体の開口を広げて物品を収納した後、咬合部を咬合するとともに、切断可能部から把持片部および袋本体の開口側を切断可能部の位置で切除する。このことにより、咬合部の物品が収納された側とは反対側の端縁と袋本体の開口端とが略面一となる。このため、物品を収納して咬合した後に咬合部の咬合を外そうとしても、ジッパーテープの咬合部から袋本体の開口端までを把持することができないので、開封操作自体が不可能となる。したがって、物品の改竄が確実に防止される。
ここで、開口工程の開口を開け広げる状態とは、咬合部が咬合していない状態で袋本体の開口を広げる状態の他、咬合部の少なくとも一部が咬合していない状態で咬合する部分を外しつつ袋本体の開口を広げる状態を含む。また、咬合工程および切除工程は、いずれを先行して実施することができる。
【００２５】
本発明のジッパーテープ付袋体の物品収納方法は、本発明のジッパーテープ付袋体内に物品を収納する物品収納方法であって、前記袋本体に取り付けられていない帯状基部に連設する把持片部を把持するとともに、前記把持された帯状基部に対向する他方の帯状基部が取り付けられた袋本体の開口側を把持して前記袋本体の開口を開け広げる開口工程と、前記開口工程で開口が広げられた袋本体内に前記物品を収納する収納工程と、前記収納工程後に前記ジッパーテープの咬合部を咬合させる咬合工程と、前記収納工程後に前記袋本体に取り付けられていない帯状基部における前記切断可能部から前記把持片部を切除する切除工程と、を実施することを特徴とする。
この発明では、袋本体の開口を広げて物品を収納した後、咬合部を咬合するとともに、切断可能部から把持片部を切除する。このことにより、物品を収納し咬合部を咬合した後は、袋本体の開口側を把持して開封しようとした場合、一対の帯状基部がそれぞれ反対方向で咬合部を剪断する方向に移動する状態となる。このため、咬合部の雄側鈎部および雌側鈎部が互いに噛み合う状態となり、咬合を外すことができない。また、仮にジッパーテープの袋本体に取り付けられていない一縁側を把持して咬合を外そうとしても、咬合部の基端で把持片部が切断されて把持することができない。したがって、袋本体に物品を収納して咬合部を咬合させ切断可能部で把持片部を切断した後は、開封操作自体が不可能となって、物品の改竄が確実に防止される。
ここで、開口工程の開口を開け広げる状態とは、咬合部が咬合していない状態で袋本体の開口を広げる状態の他、咬合部の咬合している部分を外して袋本体の開口を広げる状態を含む。また、咬合工程および切除工程は、いずれを先行して実施することができる。
【００２６】
本発明のジッパーテープ付袋体の製造方法は、基材フィルムが重ね合わされて形成される袋本体の内面に、本発明のジッパーテープを取り付けてジッパーテープ付袋体を製造する製造方法であって、前記切断可能部を介して前記把持片部が設けられた帯状基部を、前記把持片部が前記咬合部より前記袋本体の開口側に対応する位置で前記基材フィルムに配置させ、前記把持片部が設けられた一方の帯状基部は、前記咬合部が連設する位置より前記袋本体の内側に対応する領域のみ前記基材フィルムに取り付け、他方の帯状基部は、少なくとも前記咬合部より前記袋本体の開口側および内側に対応する領域で前記基材フィルムに取り付けることを特徴とする。
この発明では、ジッパーテープの切断可能部を介して把持片部が設けられた一方の帯状基部は、咬合部が連設する位置より袋本体の内側に対応する領域のみ基材フィルムに取り付け、他方の帯状基部は、少なくとも咬合部より袋本体の開口側および内側に対応する領域で基材フィルムに取り付けるので、一方の帯状基部の一縁側のみ基材フィルムに取り付けられていない状態となる。このことにより、袋本体の開口を把持し咬合を外して開口しようとすると、咬合部の雄側鈎部および雌側鈎部が互いに噛み合う状態となって咬合を外すことができなくなる。したがって、袋本体に物品を収納して咬合部を咬合させた後は、開封操作自体が不可能となって、物品の改竄が確実に防止されるジッパーテープ付袋体を製造できる。
【００２７】
そして、本発明では、前記ジッパーテープが取り付けられた基材フィルムを重ね合わせて前記袋本体を形成した後、前記ジッパーテープの長手方向の両端部における前記袋本体に融着された融着部分より前記袋本体の内側に位置して、前記切断可能部から前記把持片部を、前記袋本体の外面側から切断し、もしくは肉薄に潰して切断部を形成することが好ましい。
この発明では、ジッパーテープが取り付けられた袋本体の外面側から、ジッパーテープの長手方向の両端部における袋本体との融着部分より袋本体の内側の位置で、切断可能部から把持片部を切断、もしくは薄肉に潰して切断部を形成することで、改竄防止のために切断可能部で把持片部を切除する際、切断部にて容易に切断される。このことにより、切断可能部で把持片部を容易に切除でき、改竄防止機能を有したジッパーテープ付袋体における物品の収納作業性が向上する。
【００２８】
本発明のジッパーテープ付袋体の製造装置は、基材フィルムが重ね合わされて形成される袋本体の内面に、本発明のジッパーテープを取り付けてジッパーテープ付袋体を製造する製造装置であって、前記切断可能部を介して前記把持片部が設けられた帯状基部を、前記把持片部が前記咬合部より前記袋本体の開口側に対応する位置で前記基材フィルムに配置させる配置部と、前記把持片部が設けられた一方の帯状基部のみ、前記咬合部が連設する位置より前記袋本体の内側に対応する領域のみ前記基材フィルムに取り付ける片側取付部と、他方の帯状基部は、少なくとも前記咬合部より前記袋本体の開口側および内側に対応する領域で前記基材フィルムに取り付ける全面取付部と、を具備したことを特徴とする。
この発明では、ジッパーテープの薄肉部が設けられた一方の帯状基部は、咬合部が連設する位置より袋本体の内側に対応する領域のみ基材フィルムに取り付けられ、他方の帯状基部は、少なくとも咬合部より袋本体の開口側および内側に対応する領域で基材フィルムに取り付けられるので、一方の帯状基部の一縁側のみ基材フィルムに取り付けられていないジッパーテープ付袋体が製造される。このジッパーテープ付袋体は、袋本体の開口を把持し咬合を外して開口しようとすると、咬合部の雄側鈎部および雌側鈎部が互いに噛み合う状態となって咬合を外すことができなくなる。このため、袋本体に物品を収納して咬合部を咬合させた後は、開封操作自体が不可能となって、物品の改竄が確実に防止されるジッパーテープ付袋体を製造できる。
【図面の簡単な説明】
【００２９】
【図１】本発明の第一実施形態にかかる改竄防止用のジッパーテープ付袋体を示す断面図。
【図２】前記ジッパーテープ付袋体の正面図。
【図３】前記ジッパーテープ付袋体のジッパーテープ近傍を示す断面図。
【図４】前記ジッパーテープ付袋体を製造する製造装置を示す概略図。
【図５】前記ジッパーテープ付袋体に物品を収容する物品収納方法を説明する概念図で、（Ａ）は開封工程を示す図、（Ｂ）は収納工程を示す図、（Ｃ）は咬合工程を示す図、（Ｄ）は切除工程を示す図。
【図６】前記ジッパーテープ付袋体に物品を収容する物品収納方法を説明する概念図で、（Ａ）は収納前のジッパーテープ付袋体の要部を示す図、（Ｂ）は開封して物品を収納する状態を示す図、（Ｃ）は咬合して帯状基部の一縁側を切除した状態を示す図、（Ｄ）は開封を防止する状態を示す図。
【図７】前記ジッパーテープ付袋体の開封を説明する断面図。
【図８】前記ジッパーテープ付袋体の物品収納後（改竄防止袋）の開封を防止する状態を説明する断面図。
【図９】本発明の第二実施形態にかかる改竄防止袋を示す平面図。
【図１０】前記改竄防止袋の断面図。
【図１１】ジッパーテープ付袋体を製造する製造装置を示す概略図。
【図１２】本発明のジッパーテープ付袋体である第三実施形態にかかる改竄防止袋を示す断面図。
【図１３】前記改竄防止袋の正面図。
【図１４】前記物品収納前のジッパーテープ付袋体のジッパーテープ近傍を示す断面図。
【図１５】前記ジッパーテープ付袋体に物品を収容する物品収納方法を説明する概念図で、（Ａ）は開封工程を示す図、（Ｂ）は収納工程を示す図、（Ｃ）は咬合して帯状基部の一縁側を切除する状態を示す図、（Ｄ）は物品収納後の改竄防止袋を示す図。
【図１６】前記改竄防止袋の開口端側を示す断面図。
【図１７】本発明の他の実施形態にかかる改竄防止用のジッパーテープ付袋体のジッパーテープ近傍を示す断面図。
【図１８】本発明のさらに他の実施形態にかかる改竄防止用のジッパーテープ付袋体のジッパーテープ近傍を示す断面図。
【図１９】本発明のさらに他の実施形態にかかる改竄防止用のジッパーテープ付袋体のジッパーテープ近傍を示す断面図。
【図２０】本発明のさらに他の実施形態にかかる改竄防止用のジッパーテープ付袋体のジッパーテープ近傍を示す断面図。
【図２１】本発明のさらに他の実施形態にかかる改竄防止用のジッパーテープ付袋体のジッパーテープ近傍を示す断面図。
【図２２】本発明のさらに他の実施形態にかかる改竄防止用のジッパーテープ付袋体のジッパーテープ近傍を示す断面図。
【図２３】本発明のさらに他の実施形態にかかる改竄防止用のジッパーテープ付袋体のジッパーテープ近傍を示す断面図。
【図２４】本発明のさらに他の実施形態にかかる改竄防止用のジッパーテープ付袋体のジッパーテープ近傍を示す断面図。
【図２５】本発明のさらに他の実施形態にかかる改竄防止用のジッパーテープ付袋体のジッパーテープ近傍を示す正面図。
【図２６】物品収納前の前記改竄防止袋の変形例を示す正面図。
【発明を実施するための形態】
【００３０】
以下、本発明の実施形態を図面に基づいて説明する。各実施形態の説明において同一符号を付した部材は説明を省略もしくは簡略にする。
［第一実施形態］
｛改竄防止用のジッパーテープ付袋体の構成｝
本発明の第一実施形態を図面に基づいて説明する。
改竄防止用のジッパーテープ付袋体１は、図１〜３に示すように、物品Ｇが収納された改竄防止袋２（図５（Ｃ），（Ｄ）参照）に専ら用いられるものであって、物品Ｇが収納される袋本体１０と、袋本体１０の互いに対向する内面に接合された改竄防止用のジッパーテープ２０とを備える。袋本体１０の改竄防止用のジッパーテープ２０より物品収納側には、開封用切断部３０が設けられている。
物品Ｇは、種々の商品を例示できるが、本実施形態では、大小２本のボトルＧ１，Ｇ２である。
【００３１】
（袋本体の構成）
袋本体１０は、基材フィルム１１が折り返して重ね合わされ、折り返す方向の両側に対応する重なり合う両縁部にサイドシール部１０Ａが形成されている。袋本体１０は、折り返す方向の端部に対応する重なり合い一方向に延びた縁が、改竄防止用のジッパーテープ２０を取り付ける開口端１２となる。
袋本体１０の内部には物品Ｇを収納する収納空間１３が設けられている。袋本体１０の開口端１２とは反対側の底部にガゼット１０Ｂが設けられている。
なお、本実施形態では、開口端１２のみが開放可能な構成であれば、必ずしも、ガゼット１０Ｂを設けることを要しない。例えば基材フィルム１１を折り返したまま、または、底材を挿入したスタンディングパウチとしたり、ボトムシール部を設けたりしてもよい。また、基材フィルム１１を折り返して重ね合わせて製袋する場合に限らず、２枚の基材フィルムを重ね合わせてサイドシール部１０Ａおよびボトムシール部を設けて製袋したり、背貼り部を設けて製袋したりしてもよい。
【００３２】
基材フィルム１１としては、例えば、（直鎖状）低密度ポリエチレン（Linear Low Density Polyethylene：ＬＬＤＰＥ）、ポリプロピレン（Polypropylene：ＰＰ）などの熱可塑性樹脂にて形成された単層または多層のフィルムを利用できる。多層のフィルムとしては、表基材に、二軸延伸したポリプロピレン（Oriented Polypropylene：ＯＰＰ）、二軸延伸ポリエチレンテレフタレート（ＯＰＥＴ）、二軸延伸ナイロン（ＯＮｙ）、キャストポリプロピレン（Cast Polypropylene：ＣＰＰ）などを用いることができる。なお、多層フィルムとして、いわゆるガスバリアーや遮光などの目的で、アルミニウム蒸着やアルミニウム箔の積層など、無機系の層を備えた構成としてもよい。
また、基材フィルム１１は、包装袋用材料であれば特に限定されないが、例えば厚み寸法が１０μｍ以上２００μｍ以下であることが好ましい。厚み寸法が１０μｍ未満であると、シール強度、袋強度が弱くなる場合がある。
【００３３】
開封用切断部３０は、物品Ｇを改竄防止袋２から取り出す際に用いるもので、袋本体１０の両サイドシール部１０Ａにそれぞれ設けられた切欠３０Ａや、これらの切欠３０Ａ同士を接続した直線状切断部を例示できる。
なお、直線状切断部としては、ジッパーテープ２０の雌側テープ部材２１と雄側テープ部材２２とにそれぞれ一体形成された直線カット部や、雌側テープ部材２１や雄側テープ部材２２から離れて設けられた直線カットフィルムや、レーザー加工、ミシン目加工等で形成された切断線を例示することができる。
【００３４】
（ジッパーテープの構成）
ジッパーテープ２０の詳細な構成が図３に示されている。
図３において、改竄防止用のジッパーテープ２０は、それぞれ開口端１２と平行に配置された雌側テープ部材２１および雄側テープ部材２２を備えている。
これらの雌側テープ部材２１と雄側テープ部材２２とは、長手方向と直交する方向が幅方向（図３では上下方向）とされている。幅方向の一方の方向（上方）が開口端１２側になり、幅方向の他方の方向（下方）が収納空間１３側となる。第１実施形態では、雌側テープ部材２１が図３の左側に配置され、雄側テープ部材２２が図３の右側に配置される。
【００３５】
雌側テープ部材２１は、雌側帯状基部２１１と、雌側帯状基部２１１の一面の幅方向における略中央のうち開口端１２側に位置して連設された第一の雌側鈎部２１２と、この第一の雌側鈎部２１２の収納空間側に連設された第二の雌側鈎部２１３と、を備えて構成されている。
雌側帯状基部２１１は、平板状に形成されており、開口端１２側の端縁は袋本体１０の開口端１２から離れている。
雌側帯状基部２１１は、第一の雌側鈎部２１２および第二の雌側鈎部２１３が設けられた側と反対側の面が袋本体１０の内面に接合される接合面２１１Ａとなっている。なお、雌側帯状基部２１１の袋本体１０の内面との接合は、全面で行われているものでもよく、幅方向の両側で行われるものでもよく、あるいは、散点状に行われるものであってもよい。
第一の雌側鈎部２１２は、互いに対向する一対の雌構成部２１２Ａを有する。これらの雌構成部２１２Ａは、それぞれ雌側帯状基部２１１の平面から突出した突出部２１２Ｂと、これらの突出部２１２Ｂの先端に一体形成され互いに向かい合う方向にのみ突出した咬合雌側爪部としての雌側爪部２１２Ｃとを備えている。
第一の雌側鈎部２１２を構成する一対の雌側爪部２１２Ｃは、第一雄側爪部２２２Ｂおよび第二雄側爪部２２２Ｃにそれぞれ係合する斜面Ｓを有している。斜面Ｓの雌側帯状基部２１１の垂線Ｔに対する角度は、それぞれ９０°未満、好ましくは、４５°以上８０°以下で、先端が雌側帯状基部２１１に向けて折り返すように形成されている。
【００３６】
互いに対向する雌構成部２１２Ａの間の間隔と、雌構成部２１２Ａのうち収納空間１３側の雌構成部２１２Ａと第二の雌側鈎部２１３との間隔とは、ほぼ同じでもよく、あるいは、異なるものでもよい。第二の雌側鈎部２１３は、雌側帯状基部２１１の平面から突出した突出部２１３Ａと、この突出部２１３Ａの先端から第一の雌側鈎部２１２（袋本体１０の開口端１２）側にのみ向けて突出した雌側鈎用爪部２１３Ｂとを有する。そして、互いに咬合する第一の雌側鈎部２１２および第一の雄側鈎部２２２と、第二の雌側鈎部２１３および第二の雄側鈎部２２３とが、それぞれ本発明の咬合部Ｘ，Ｙをそれぞれ構成する。
雌側鈎用爪部２１３Ｂは、雌側帯状基部２１１と対向する部分に斜面Ｌを有する。この斜面Ｌの雌側帯状基部２１１の垂線Ｔとのなす角のうち鋭角となる角θの角度は、９０°以下、好ましくは、４５°以上８０°以下で、雌側鈎用爪部２１３Ｂの先端が雌側帯状基部２１１に向けて折り返すように形成されている。
第一の雌側鈎部２１２と第二の雌側鈎部２１３とは、雌側帯状基部２１１の平面からの高さ寸法がほぼ同じとされる。
【００３７】
雄側テープ部材２２は、雌側帯状基部２１１に対向配置される雄側帯状基部２２１と、雄側帯状基部２２１の一面の幅方向における略中央のうち開口端１２側に位置して連設され第一の雌側鈎部２１２と係脱可能に咬合する第一の雄側鈎部２２２と、この第一の雄側鈎部２２２の収納空間側に連設された第二の雄側鈎部２２３とを備えて構成されている。
雄側帯状基部２２１は、平板状に形成されており、開口端１２側である一縁側は袋本体１０の開口端１２から離れている。
すなわち、雄側帯状基部２２１は、第一の雄側鈎部２２２および第二の雄側鈎部２２３が設けられた側と反対側の面の一部のみが袋本体１０の内面に接合されている。雄側帯状基部２２１の袋本体１０への接合領域Ｅは、第一の雄側鈎部２２２および第二の雄側鈎部２２３が設けられた領域を除いた領域であって収納空間１３側の端縁（図３では下端縁）を含む領域である。なお、雄側帯状基部２２１の袋本体１０の内面との接合は、雌側帯状基部２１１の場合と同様に、接合領域Ｅの全面で行われているものでもよく、接合領域Ｅの周縁で行われるものでもよく、あるいは、散点状に行われるものであってもよい。
【００３８】
第一の雄側鈎部２２２は、雄側帯状基部２２１の開口端１２側に設けられるものであり、雄側帯状基部２２１の平面から突出した突出部２２２Ａと、この突出部２２２Ａの先端から収納空間１３側と開口端１２側とのそれぞれに向けて突出した第一雄側爪部２２２Ｂおよび第二雄側爪部２２２Ｃにより断面やじり状に形成されている。
これらの第一雄側爪部２２２Ｂおよび第二雄側爪部２２２Ｃは、それぞれ雌側爪部２１２Ｃに係止される。
第一雄側爪部２２２Ｂは、第二の雄側鈎部２２３とは反対側（開口端１２側）に向いて突出され、開口端１２側に位置する雌側爪部２１２Ｃに係合する斜面Ｍを有する。斜面Ｍの雄側帯状基部２２１の垂線Ｔとのなす角のうち鈍角となる角αの角度は、９０°以上、好ましくは、１００°以上１３５°以下で、第一雄側爪部２２２Ｂは断面山形状に形成されている。
第二雄側爪部２２２Ｃは、第二の雄側鈎部２２３側（収納空間１３側）に向いて突出され、収納空間１３側に位置する雌側爪部２１２Ｃに係合する斜面Ｎを有する。斜面Ｎの雄側帯状基部２２１の垂線Ｔとのなす角のうち鋭角となる角βの角度は、９０°以下、好ましくは、４５°以上８０°以下で、第二雄側爪部２２２Ｃは先端が雄側帯状基部２２１に向けて折り返すように形成されている。
【００３９】
第二の雄側鈎部２２３は、雄側帯状基部２２１の平面から突出した突出部２２３Ａと、この突出部２２３Ａの先端から第一の雄側鈎部２２２とは反対側（収納空間１３側）にのみ向けて突出し雌側鈎用爪部２１３Ｂと係止する咬合雄側爪部としての雄側鈎用爪部２２３Ｂとを有する。
雄側鈎用爪部２２３Ｂは、雌側鈎用爪部２１３Ｂの斜面Ｌと係合する斜面Ｌが形成されている。斜面Ｌの雄側帯状基部２２１の垂線Ｔとのなす角であって鋭角となる角θの角度は、９０°以下、好ましくは、４５°以上８０°以下で、雄側鈎用爪部２２３Ｂは先端が雄側帯状基部２２１に向けて折り返すように形成されている。
第一の雄側鈎部２２２と第二の雄側鈎部２２３との雄側帯状基部２２１の底面からの高さ寸法は、ほぼ同じであるが、第一の雌側鈎部２１２および第二の雌側鈎部２１３との咬合可能に高さ寸法が異なるようにしてもよい。
【００４０】
雄側帯状基部２２１には、第一の雄側鈎部２２２の基端における開口端１２側に位置して切断可能部としての薄肉部２２４が設けられている。薄肉部２２４は、雄側帯状基部２２１の表面からそれぞれ段差状に形成されている。なお、薄肉部２２４が設けられる位置は、第一の雄側鈎部２２２の基端から薄肉部２２４までの距離が、０．０ｍｍ以上２．０ｍｍ以下となる位置であり、これは、人の指で把持できない距離である。
大人、子供、男性、女性などや、年齢や健康状態などによって、手で物をつかむ強さに差異があるが、人の指で把持できない距離は、０．０ｍｍ以上２．０ｍｍ以下が普遍的な値となる。この距離が２．０ｍｍを超えると、薄肉部２２４で切断して薄肉部２２４から開口端１２側となる一縁側を切除した後でも、第一の雄側鈎部２２２の基端から切断された薄肉部２２４までの雄側帯状基部２２１の開口端１２側を、多くの人に把持できることになり、咬合が解除されてしまうおそれがある。
そして、薄肉部２２４から開口端１２側となる雄側帯状基部２２１の一縁側が、薄肉部２２４から切除される把持片部としての切断片２２５となる。なお、切断片２２５は、薄肉部２２４と同様の厚さ寸法でも可能であるが、薄肉部２２４の位置で確実に切断させるために、切断片２２５は、薄肉部２２４より厚肉に形成されていることが好ましい。
【００４１】
雄側帯状基部２２１には、袋本体１０に融着される長手方向の両端部における融着部分であるサイドシール部１０Ａより袋本体１０の内側に位置して、薄肉部２２４から袋本体１０の開口端１２側に対応する一縁までの領域で切断された切断部２２６（図２参照）が設けられている。切断部２２６は、切断されたものに限らず、肉薄に潰し形成されたものとしてもよい。
なお、袋構成によりサイドシール部１０Ａを有しない構成では、袋本体１０に融着される融着部分としては、ジッパーテープ２０の長手方向の端部と袋本体１０との隙間を封止する目的で熱圧着した部分などが相当する。
【００４２】
このようなジッパーテープ２０は、例えば、ポリオレフィン系樹脂を用いて形成されている。なお、ジッパーテープ２０は、長手方向に対して折り曲げることで、その状態を保持する形状保形性を有して形成してもよい。
ポリオレフィン系樹脂としては、例えば、低密度ポリエチレンまたは直鎖状低密度ポリエチレンなどのポリエチレン系樹脂、ポリプロピレン系樹脂が好ましい。特に、剛性が高く変形しにくいという観点から、ポリプロピレン系樹脂が好ましい。ポリプロピレン系樹脂としては、ホモポリプロピレン（Ｈ−ＰＰ）、ブロックポリプロピレン（Ｂ−ＰＰ）、ランダムポリプロピレン（Ｒ−ＰＰ）、プロピレン−エチレン−ブテン１ランダム三元共重合体などが利用できる。
【００４３】
｛ジッパーテープ付袋体の製造方法および製造装置｝
ジッパーテープ付袋体１を製造するには、種々の方法を採用することができる。
例えば、雌側テープ部材２１と雄側テープ部材２２とをそれぞれ押出成形などによって成形しておく。そして、雌側テープ部材２１と雄側テープ部材２２とのそれぞれ所定の接合領域をそれぞれ基材フィルム１１の両端縁にヒートシールしてジッパーテープ２０を袋本体１０に融着する。
その後、基材フィルム１１を折り曲げてガゼット１０Ｂを形成し、サイドシール部１０Ａをヒートシールで形成する。その後、袋本体１０に開封用切断部３０を設ける。
【００４４】
このように、ジッパーテープ付袋体１を製造する装置としては、例えば、図４に示す装置が利用できる。
この製造装置３は、いわゆる縦ピロー式で、雌側テープ部材２１と雄側テープ部材２２とを繰り出し、繰り出された基材フィルム１１にそれぞれ配置させる配置部３１と、雌側テープ部材２１と雄側テープ部材２２とを基材フィルム１１に融着して取り付ける取付部３２とを備えている。
【００４５】
配置部３１は、薄肉部２２４が設けられた雄側帯状基部２２１を、薄肉部２２４が咬合部Ｘ，Ｙより袋本体１０の開口端１２側に対応する位置、すなわち基材フィルム１１の繰り出し方向の両側に位置させ、切断片２２５が基材フィルム１１の一縁側となるように配置させる。
取付部３２は、基材フィルム１１が巻かれる円筒フォーマ３２１と、送りベルト３２２と、雄側帯状基部２２１を接合領域Ｅでヒートシールするとともに、雌側帯状基部２１１の咬合部Ｘ，Ｙより開口端１２側および収納空間１３側をヒートシールするシールバー３２３と、切欠３０Ａを形成する打ち抜き部３２４と、サイドシール部１０Ａを形成するサイドシールバー３２５と、ガゼット１０Ｂを形成する治具３２６と、を備えている。
【００４６】
｛物品の収納方法｝
次に、ジッパーテープ付袋体１に物品Ｇを収納する物品収納方法について、図面に基づいて説明する。
図５は、ジッパーテープ付袋体１に物品Ｇを収容する物品収納方法を説明する概念図で、（Ａ）は開封工程を示す図、（Ｂ）は収納工程を示す図、（Ｃ）は咬合工程を示す図、（Ｄ）は切除工程を示す図である。図６は、ジッパーテープ付袋体１に物品Ｇを収容する物品収納方法を説明する概念図で、（Ａ）は収納前のジッパーテープ付袋体１の要部を示す図、（Ｂ）は開封して物品Ｇを収納する状態を示す図、（Ｃ）は咬合して雄側帯状基部２２１の一縁側の切断片２２５を切除した状態を示す図、（Ｄ）は改竄防止袋２の開封を防止する状態を示す図である。図７は、ジッパーテープ付袋体１の開封を説明する断面図である。図８は、物品収納後の改竄防止袋２の開封を防止する状態を説明する断面図である。
【００４７】
ジッパーテープ付袋体１が製造されたら、小売店や充填業者などに搬送する。
小売店や充填業者などでは、図５（Ａ）に示される通り、袋本体１０の開口端１２を開放する開口工程を実施する。この開放の際、図６（Ａ）に示すように、咬合部Ｘ，Ｙが咬合している場合には、図７に示すように、切断片２２５を把持するとともに雌側帯状基部２１１の開口端１２側を把持して、互いに離反する方向に力を作用させることで、咬合部Ｘ，Ｙの咬合が解除され、開放される。
この開口工程後、図５（Ｂ）および図６（Ｂ）に示される通り、袋本体１０の収納空間１３に物品Ｇを収納する収納工程を実施する。物品Ｇを収納する際には、袋本体１０の開口端１２が開放されたままとする。
【００４８】
収納工程の後、図５（Ｃ）に示される通り、物品Ｇが収納されたら、ジッパーテープ２０の一端から他端に向けて咬合部Ｘ，Ｙを咬合させ、雌側テープ部材２１と雄側テープ部材２２とを互いに係合させる咬合工程を実施する。
具体的には、雌側テープ部材２１と雄側テープ部材２２とを互いに押し込むことにより、雌側テープ部材２１の第一の雌側鈎部２１２および第二の雌側鈎部２１３に、雄側テープ部材２２の第一の雄側鈎部２２２および第二の雄側鈎部２２３を嵌り込み、雌側テープ部材２１と雄側テープ部材２２とを互いに係合させる。
【００４９】
咬合工程後、図５（Ｄ）および図６（Ｃ）に示される通り、切断片２２５を把持して開口端１２側に引っ張るようにして薄肉部２２４で切断して切除する切除工程を実施し、物品Ｇが収納空間１３に収納された改竄防止袋２が完成する。
完成した改竄防止袋２を販売するために、売り場に展示、もしくは充填作業者から小売店に搬入する。
【００５０】
売り場にて、商品を改竄しようとする者が改竄防止袋２の袋本体１０の開口端１２の近傍を持って引っ張っても、ジッパーテープ２０を開けることができない。
つまり、図６（Ｄ）および図８に示される通り、袋本体１０の開口端１２の近傍が引っ張られることで、雌側テープ部材２１が開口端側に向けた方向Ｑ１に引っ張られる。これに対して、雄側テープ部材２２は、雄側帯状基部２２１の収納空間１３側の一部の接合領域Ｅのみが袋本体１０の内面に接合されるので、雌側テープ部材２１とは反対側の方向Ｑ２に引っ張られる。すると、雌側帯状基部２１１と雄側帯状基部２２１とに剪断させる方向に力が作用する。
この力により、雌側爪部２１２Ｃと第二雄側爪部２２２Ｃとが互いに噛み合う状態となるとともに、雌側鈎用爪部２１３Ｂと雄側鈎用爪部２２３Ｂとが互いに噛み合う状態となる。
なお、雄側帯状基部２２１の開口端１２側の長さは、切断片２２５の切除により、雄側テープ部材２２自体を把持することができない。
【００５１】
一方、袋本体１０の収納空間１３側からジッパーテープ２０を開けようとしても開封できない。つまり、袋本体１０の収納空間１３側を把持して咬合を解除しようとした際、第一の雌側鈎部２１２と第一の雄側鈎部２２２と、および、第二の雌側鈎部２１３と第二の雄側鈎部２２３とが互いに離れる方向に動こうとする。この状態では、これらの雌側爪部２１２Ｃおよび第二雄側爪部２２２Ｃと、雌側鈎用爪部２１３Ｂおよび雄側鈎用爪部２２３Ｂとは、先端が折り返す鈎状に形成されているので、二箇所で咬合している状態で、互いに離れにくくなっており、強い力で袋本体１０を引っ張る必要があり、袋本体１０が破れたり、ジッパーテープ２０が切れてしまい、改竄が防止される。
そして、売り場にて、物品Ｇが収納された改竄防止袋２を購入した消費者は、改竄防止用のジッパーテープ２０自体を開けることができないので、物品Ｇを取り出すために、開封用切断部３０により、袋本体１０を切断する。
【００５２】
｛第一実施形態の効果｝
第一実施形態では、次の効果を奏することができる。
すなわち、上記第一実施形態では、袋本体１０の内面に薄肉部２２４が設けられたジッパーテープ２０を取り付けるに際して、薄肉部２２４が設けられた一方の雄側帯状基部２２１のみ、咬合部Ｘ，Ｙが連設する位置から袋本体１０の開口端１２側に対応する一縁側を取り付けず、接合領域Ｅのみ取り付ける構成としている。
このことにより、薄肉部２２４で雄側帯状基部２２１の切断片２２５を切断していない状態では、薄肉部２２４から袋本体１０の開口端１２側に対応する一縁側の切断片２２５を把持することで咬合が解除される。このため、ジッパーテープ付袋体１を小売店などに搬送する際に咬合部Ｘ，Ｙが咬合してしまっても、容易に開口させることができる。よって、物品Ｇを収納するまで咬合部Ｘ，Ｙの咬合を規制する部材を用いる必要がなく、誤って物品Ｇを収納してしまっても、切断片２２５を切除する前であれば収納し直すことができ、袋本体１０を開口して物品Ｇを収納する作業が容易にできる。
そして、物品Ｇの収納後は、収納作業者が薄肉部２２４で雄側帯状基部２２１の切断片２２５を切除し、改竄防止袋２とする。このことで、袋本体１０の開口端１２側を把持して開封しようとした場合、雌側帯状基部２１１と雄側帯状基部２２１とに剪断させる方向に力が作用する。このことにより、雌側爪部２１２Ｃおよび第二雄側爪部２２２Ｃと、雌側鈎用爪部２１３Ｂと雄側鈎用爪部２２３Ｂとが互いに噛み合う状態となり、咬合を外すことができない。このため、袋本体１０に物品Ｇを収納して咬合部Ｘ，Ｙを咬合させた後は、開封操作自体が不可能となって、物品Ｇの改竄を確実に防止できるジッパーテープ付袋体１を提供できる。
また、ジッパーテープ付袋体１として、咬合部Ｘ，Ｙが咬合しても、切断片２２５を切除する前であれば、咬合を解除できるので、製袋時に咬合部Ｘ，Ｙを咬合させてもよく、製袋が容易にできる。
【００５３】
そして、上記第一実施形態では、薄肉部２２４を設ける位置として、雄側帯状基部２２１の切断片２２５が薄肉部２２４で切断された状態で、咬合部Ｘ，Ｙが連設する位置から薄肉部２２４までの雄側帯状基部２２１を把持不可能となる位置としている。
このため、咬合された咬合部Ｘ，Ｙを外すことが困難となり、確実に改竄を防止できるジッパーテープ付袋体１を提供できる。
【００５４】
また、上記第一実施形態では、複数対の咬合部Ｘ，Ｙを設けている。
このため、咬合力が増大し、確実に改竄を防止できるジッパーテープ付袋体１を提供できる。
【００５５】
そして、上記第一実施形態では、薄肉部２２４に近接する咬合部Ｘとして、角βが９０°以下で突出する形状、すなわち雌側帯状基部２１１または雄側帯状基部２２１に向けて折り返すように鈎形状に突出する雌側爪部２１２Ｃおよび第二雄側爪部２２２Ｃを設けている。
このため、薄肉部２２４で雄側帯状基部２２１の切断片２２５を切除した後の咬合部Ｘ，Ｙの咬合を外す際、雌側帯状基部２１１と雄側帯状基部２２１とに剪断させる方向に力が作用し、雌側爪部２１２Ｃおよび第二雄側爪部２２２Ｃが強く噛み合う状態となり、咬合が外されることを確実に防止でき、確実に改竄を防止できるジッパーテープ付袋体１を提供できる。
【００５６】
さらに、上記第一実施形態では、薄肉部２２４に近接する咬合部Ｘ以外の咬合部Ｙとして、角θが９０°以下で突出する形状、すなわち雌側帯状基部２１１または雄側帯状基部２２１に向けて折り返すように鈎形状に突出する雌側鈎用爪部２１３Ｂおよび雄側鈎用爪部２２３Ｂとを設けている。
このため、改竄防止として切断片２２５を切除した後では、咬合部Ｘ，Ｙの咬合を外す際、雌側帯状基部２１１と雄側帯状基部２２１とに剪断させる方向に力が作用し、雌側鈎用爪部２１３Ｂおよび雄側鈎用爪部２２３Ｂが強く噛み合う状態となる。したがって、咬合部Ｘにおける雌側爪部２１２Ｃおよび第二雄側爪部２２２Ｃの噛み合いに加えて咬合力が増大し、咬合が外されることをより確実に防止でき、確実に改竄を防止できるジッパーテープ付袋体１を提供できる。
【００５７】
また、上記第一実施形態では、薄肉部２２４に近接する咬合部Ｘとして、角αが９０°以上で突出する形状、すなわち山形状に突出する第一雄側爪部２２２Ｂを設けている。
このため、雄側帯状基部２２１における切断前の薄肉部２２４から一縁側の切断片２２５を把持して咬合部Ｘ，Ｙの咬合を外す際、咬合する第一雄側爪部２２２Ｂと雌側爪部２１２Ｃとが離間する方向に移動されて第一雄側爪部２２２Ｂが雌側爪部２１２Ｃを乗り越えるようにして、咬合が容易に外れる。したがって、物品Ｇを収納するまで咬合部Ｘ，Ｙの咬合を規制する部材を用いる必要がなく、物品Ｇを収納するためのジッパーテープ付袋体１を開口させることが容易にでき、物品Ｇの収納作業が容易にできる。
【００５８】
そして、上記第一実施形態では、薄肉部２２４として、咬合部Ｘ，Ｙが連設する側と反対側の面から後退した段差状に形成している。
このため、基材フィルム１１に融着した際、薄肉部２２４が基材フィルム１１と融着してしまうことを防止でき、薄肉部２２４を切断して切断片２２５を切除することが容易にでき、物品Ｇの収納作業が容易にできる。
【００５９】
［第二実施形態］
次に、本発明の第二実施形態を図面に基づいて説明する。
図９は、第二実施形態における改竄防止袋２を示す平面図である。図１０は、改竄防止袋２の断面図である。
この第二実施形態では、第一実施形態における縦ピロー式の製袋方法に代え、三方製袋方法にて製造するものである。
【００６０】
｛改竄防止袋の構成｝
図９，１０に示すように、第二実施形態の改竄防止袋２は、第一実施形態における改竄防止袋２におけるガゼット１０Ｂに代えて、ボトムシール部１０Ｃを設けたものである。
【００６１】
｛ジッパーテープ付袋体の製造装置｝
次に、上記第二実施形態の改竄防止袋２となるジッパーテープ付袋体１を製造する製造装置について図面を参照して説明する。
図１１は、ジッパーテープ付袋体の製造装置を示す概念図である。
【００６２】
製造装置４は、図１１に示すように、三方製袋方法で用いられるもので、基材フィルム１１を繰り出すフィルム繰出装置４１と、咬合したジッパーテープ２０をそれぞれ繰り出す配置部としてのテープ操出装置４２と、ジッパーテープ２０を基材フィルム１１にヒートシールする取付部としてのテープ接着装置４３と、ボトムシール部１０Ｃを形成するシールバー４４と、ジッパーテープ２０が押し潰された図示しない潰し部を形成するポイントシール装置４５と、サイドシール部１０Ａを形成するサイドシールバー４６と、二本のジッパーテープ２０間で切断して並列に形成されるジッパーテープ付袋体１を切り分ける切断部４７と、サイドシール部１０Ａの中間位置で切断し、ボトムシール部１０Ｃとサイドシール部１０Ａとの三方がヒートシールされたジッパーテープ付袋体１を得るカッター部４８と、を備えている。
【００６３】
［ジッパーテープ付袋体の製造方法］
次に、上記製造装置４を用いたジッパーテープ付袋体１の製造方法について説明する。
ジッパーテープ付袋体１の製造方法は、基材フィルム１１を繰り出すフィルム繰出工程と、ジッパーテープ２０を繰り出すテープ操出工程と、ジッパーテープ２０を基材フィルム１１に接着させるジッパーテープ取付工程と、基材フィルム１１からジッパーテープ付袋体１を形成させる製袋工程と、などを実施する。
【００６４】
フィルム繰出工程で、基材フィルム１１を長手方向で２枚に切断して重ね合わせ、この重ね合わせた基材フィルム１１をジッパーテープ取付工程へ繰り出す。一方、テープ操出工程で、咬合されたジッパーテープ２０を重ね合わされた基材フィルム１１間に供給する。
この後、ジッパーテープ取付工程で、テープ接着装置４３によりジッパーテープ２０を基材フィルム１１にヒートシールする。
そして、製袋工程で、シールバー４４により基材フィルム１１をヒートシールしてボトムシール部１０Ｃを形成し、ポイントシール装置４５により所定間隔で潰し部を形成し、さらにサイドシールバー４６により潰し部の位置で基材フィルム１１をヒートシールしてサイドシール部１０Ａを形成する。そして、切断部４７により、二本のジッパーテープ２０間で基材フィルム１１を切断し、並列に形成されるジッパーテープ付袋体１を切り分ける。この後、カッター部４８により、サイドシール部１０Ａの中間位置で切断し、ボトムシール部１０Ｃとサイドシール部１０Ａとの三方がヒートシールされたジッパーテープ付袋体１を得る。
そして、小売店や充填業者などの収納方法を知っている者により、袋本体１０に取り付けられていない切断片２２５と、雌側テープ部材２１が取り付けられた袋本体１０の開口端１２側を持って開口させる。このことにより、ジッパーテープ２０には剪断させる方向に力が掛からず、通常のジッパーテープ付袋体と同様に開口される。この開口端１２からジッパーテープ付袋体１に物品Ｇを収納し、第一実施形態と同様に改竄防止袋２が完成する。
【００６５】
［第二実施形態の作用効果］
上記第二実施形態の三方製袋方法により製造したジッパーテープ付袋体１も同様に、薄肉部２２４で雄側帯状基部２２１の切断片２２５を切断していない状態では、薄肉部２２４から袋本体１０の開口端１２側に対応する一縁側の切断片２２５を把持することで咬合が解除される。このため、ジッパーテープ付袋体１を製袋する際に咬合したジッパーテープ２０を取り付ける構成としても物品Ｇの収納ができ、また小売店などに搬送する際に咬合部Ｘ，Ｙが咬合してしまっても、容易に開口させることができる。よって、物品Ｇを収納するまで咬合部Ｘ，Ｙの咬合を規制する部材を用いる必要がなく、誤って物品Ｇを収納してしまっても、切断片２２５を切除する前であれば収納し直すことができ、袋本体１０を開口して物品Ｇを収納する作業が容易にできる。
そして、物品Ｇの収納後は、収納作業者が薄肉部２２４で雄側帯状基部２２１の切断片２２５を切除し、改竄防止袋２とする。このことで、袋本体１０の開口端１２側を把持して開封しようとした場合、雌側帯状基部２１１と雄側帯状基部２２１とに剪断させる方向に力が作用する。このことにより、雌側爪部２１２Ｃおよび第二雄側爪部２２２Ｃと、雌側鈎用爪部２１３Ｂと雄側鈎用爪部２２３Ｂとが互いに噛み合う状態となり、咬合を外すことができない。このため、袋本体１０に物品Ｇを収納して咬合部Ｘ，Ｙを咬合させた後は、開封操作自体が不可能となって、物品Ｇの改竄を確実に防止できるジッパーテープ付袋体１を提供できる。
また、ジッパーテープ付袋体１として、咬合部Ｘ，Ｙが咬合しても、切断片２２５を切除する前であれば、咬合を解除できるので、製袋時に咬合部Ｘ，Ｙを咬合させてもよく、製袋が容易にできる。
【００６６】
［第三実施形態］
｛改竄防止袋の構成｝
次に、本発明の第三実施形態を図面に基づいて説明する。
図１２は、第三実施形態の改竄防止袋２を示す断面図である。図１３は、改竄防止袋２を示す正面図である。
図１２および図１３において、改竄防止袋２は、物品Ｇと、物品Ｇが収納されたジッパーテープ付袋体１とを備えている。
【００６７】
｛改竄防止用のジッパーテープ付袋体の構成｝
図１４は、第三実施形態のジッパーテープ付袋体１のジッパーテープ２０近傍を示す断面図である。
図１４において、改竄防止用のジッパーテープ付袋体１は、物品Ｇが収納された改竄防止袋２に専ら用いられるものであって、物品Ｇが収納される袋本体１０と、袋本体１０の互いに対向する内面に接合された改竄防止用のジッパーテープ２０とを備える。袋本体１０の改竄防止用のジッパーテープ２０より物品収納側には、開封用切断部３０が設けられている。また、袋本体１０には、後述する直線カット部５０（図１５参照）に対応する位置に開封開始位置となるＶ字形のノッチ５３（図１５参照）が形成されている。
なお、第三実施形態では、袋本体１０として多層の基材フィルム１１としたが、第一実施形態および第二実施形態と同様に、単層でも多層でもよい。袋本体１０の構成は、第一実施形態および第二実施形態と同様のため、説明を省略する。
（ジッパーテープの構成）
改竄防止用のジッパーテープ２０は、それぞれ開口端１２と平行に配置された雌側テープ部材２１および雄側テープ部材２２を備えている。
雌側テープ部材２１は、雌側帯状基部２１１と、雌側帯状基部２１１の一面の幅方向における略中央に連設された雌側鈎部２１２と、を備えて構成されている。
雌側帯状基部２１１は、平板状に形成され、雌側鈎部２１２が設けられた側と反対側の面が袋本体１０の内面に接合される接合面２１１Ａとなっている。
雌側鈎部２１２は、互いに対向する一対の雌構成部２１２Ａを有する。これらの雌構成部２１２Ａは、それぞれ雌側帯状基部２１１の平面から突出した突出部２１２Ｂと、これらの突出部２１２Ｂの先端に一体形成され互いに向かい合う方向にのみ突出した咬合雌側爪部としての雌側爪部２１２Ｃとを備えている。
雌側鈎部２１２を構成する一対の雌側爪部２１２Ｃは、第一雄側爪部２２２Ｂおよび第二雄側爪部２２２Ｃにそれぞれ係合する斜面Ｓを有している。斜面Ｓの雌側帯状基部２１１の垂線Ｔに対する角度は、それぞれ９０°未満、好ましくは、４５°以上８０°以下で、先端が雌側帯状基部２１１に向けて折り返すように形成されている。
また、雌側帯状基部２１１には、雌側鈎部２１２の基端の開口端１２側に位置して薄肉部２２４が設けられている。薄肉部２２４は、雌側帯状基部２１１の表面からそれぞれ段差状に形成されている。なお、薄肉部２２４が設けられる位置は、雌側鈎部２１２の基端から薄肉部２２４までの距離が、０．０ｍｍ以上２．０ｍｍ以下となる位置である。
【００６８】
雄側テープ部材２２は、雌側帯状基部２１１に対向配置される雄側帯状基部２２１と、雄側帯状基部２２１の一面の幅方向における略中央に連設された雌側鈎部２１２と係脱可能に咬合する雄側鈎部２２２と、を備えて構成されている。
雄側帯状基部２２１は、平板状に形成され、雄側鈎部２２２が設けられた側と反対側の面が袋本体１０の内面に接合される接合面２２１Ａとなっている。
【００６９】
雄側鈎部２２２は、雄側帯状基部２２１の平面から突出した突出部２２２Ａと、この突出部２２２Ａの先端から収納空間１３側と開口端１２側とのそれぞれに向けて突出した第一雄側爪部２２２Ｂおよび第二雄側爪部２２２Ｃにより断面やじり状に形成されている。
これらの第一雄側爪部２２２Ｂおよび第二雄側爪部２２２Ｃは、それぞれ雌側爪部２１２Ｃに係止される。
第一雄側爪部２２２Ｂは、開口端１２側に向いて突出され、開口端１２側に位置する雌側爪部２１２Ｃに係合する斜面Ｍを有する。斜面Ｍの雄側帯状基部２２１の垂線Ｔとのなす角のうち鈍角となる角αの角度は、９０°以上、好ましくは、１００°以上１３５°以下で、第一雄側爪部２２２Ｂは断面山形状に形成されている。
第二雄側爪部２２２Ｃは、収納空間１３側に向いて突出され、収納空間１３側に位置する雌側爪部２１２Ｃに係合する斜面Ｎを有する。斜面Ｎの雄側帯状基部２２１の垂線Ｔとのなす角のうち鋭角となる角βの角度は、９０°以下、好ましくは、４５°以上８０°以下で、第二雄側爪部２２２Ｃは先端が雄側帯状基部２２１に向けて折り返すように形成されている。
また、雄側帯状基部２２１には、雄側鈎部２２２の基端の開口端１２側に位置して薄肉部２２４が設けられている。薄肉部２２４は、雄側帯状基部２２１の表面からそれぞれ段差状に形成されている。なお、薄肉部２２４が設けられる位置は、第一の雄側鈎部２２２の基端から薄肉部２２４までの距離が、０．０ｍｍ以上２．０ｍｍ以下となる位置である。
そして、雌側帯状基部２１１および雄側帯状基部２２１の薄肉部２２４が、直線カット部５０（図１５参照）として機能する。
【００７０】
｛物品の収納方法｝
次に、ジッパーテープ付袋体１に物品Ｇを収納する物品収納方法について、図面に基づいて説明する。
図１５は、ジッパーテープ付袋体１に物品Ｇを収容する物品収納方法を説明する概念図で、（Ａ）は開封工程を示す図、（Ｂ）は収納工程を示す図、（Ｃ）は咬合して帯状基部の一縁側を切除する状態を示す図、（Ｄ）は物品収納後の改竄防止袋２を示す図である。図１６は、改竄防止袋２の開口端１２側を示す断面図である。
【００７１】
ジッパーテープ付袋体１が製造されたら、小売店などに搬送する。
小売店などでは、図１５（Ａ）に示される通り、袋本体１０の開口端１２を開放する開口工程を実施する。この開放の際、咬合部Ｘ，Ｙが咬合している場合には、開口端１２側を把持して、互いに離反する方向に力を作用させることで、咬合部Ｘ，Ｙの咬合が解除され、開放される。
この開口工程後、図１５（Ｂ）に示される通り、袋本体１０の収納空間１３に物品Ｇを収納する収納工程を実施する。この収納工程の後、ジッパーテープ２０の一端から他端に向けて咬合部Ｘ，Ｙを咬合させ、雌側テープ部材２１と雄側テープ部材２２とを互いに係合させる咬合工程を実施する。
そして、咬合工程後、図１５（Ｃ）に示される通り、直線カット部５０の薄肉部２２４を一方のノッチ５３から他方のノッチ５３に向けて破断し、切断片２２５とともに袋本体１０の開口端１２側を切断予定線Ｒに沿って切断する切除工程を実施する。
これにより、図１５（Ｄ）に示される通り、物品Ｇが収納空間１３に収納された改竄防止袋２が完成する。
【００７２】
図１５（Ｄ）に示される通り、切断予定線Ｒに沿って切断片２２５とともに袋本体１０の開口端１２側が切除された状態では、袋本体１０の切断された端縁が改竄防止袋２の開口端１２Ａとなる。このため、図１６に示すように、雌側帯状基部２１１および雄側帯状基部２２１や袋本体１０の開口端１２Ａ側を人の指Ｆで把持できず、咬合を解除できなくなり、改竄防止袋２を開けることができない。
物品Ｇが収納された改竄防止袋２を購入した消費者は、物品Ｇを取り出すために、開封用切断部３０により、袋本体１０を切断すればよい。
【００７３】
｛第三実施形態の効果｝
このように、上記第三実施形態では、雌側帯状基部２１１および雄側帯状基部２２１に咬合部Ｘが連設する位置に近傍して薄肉部２２４をそれぞれ設けたジッパーテープ２０を用いている。
このことにより、薄肉部２２４で切断して切断片２２５とともに袋本体１０の開口端１２側を切除することで、咬合部Ｘの物品Ｇが収納された側とは反対側の端縁である開口端１２Ａと袋本体１０の開口端１２Ａとが略面一となる。このため、物品Ｇを収納して咬合した後に咬合部Ｘの咬合を外そうとしても、ジッパーテープ２０の咬合部Ｘから袋本体１０の開口端１２Ａまでを把持することができないので、開封操作自体が不可能となる。したがって、確実に改竄を防止できるジッパーテープ付袋体１を提供できる。
【００７４】
そして、上記第三実施形態では、物品Ｇを収納した後に直線カット部５０で切断片２２５および袋本体１０の開口端１２側を切除する構成としている。
このことにより、第一実施形態および第二実施形態と同様に、ジッパーテープ付袋体１を小売店などに搬送する際に咬合部Ｘが咬合してしまっても、また製袋時に咬合したジッパーテープ２０を取り付ける場合でも、容易に開口させることができる。よって、物品Ｇを収納するまで咬合部Ｘの咬合を規制する部材を用いる必要がなく、誤って物品Ｇを収納してしまっても、直線カット部５０で切断する前であれば収納し直すことができ、袋本体１０を開口して物品Ｇを収納する作業が容易にできる。
【００７５】
また、上記第三実施形態では、ジッパーテープ２０と直線カット部５０とを同じ材質で形成しているので、これらを一体に形成することができる。そのため、ジッパーテープ付袋体１を効率的に製造することができる。
【００７６】
［変形例］
なお、本発明を実施するための最良の構成などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、材質、数量、その他の詳細な構成において、当業者が様々な変形を加えることができるものである。
したがって、上記に開示した材質、層構成などを限定した記載は、本発明の理解を容易にするために例示的に記載したものであり、本発明を限定するものではないから、それらの材質などの限定の一部若しくは全部の限定を外した名称での記載は、本発明に含まれるものである。
【００７７】
例えば、薄肉部２２４は、段差状に形成する構成に限らず、例えば断面Ｖ字状に形成したり、断面Ｕ字状のような凹曲面状に形成したりしてもよい。また、いわゆるミシン目のように直線状に目打ちを形成して切断片２２５を切断可能な薄肉部２２４としてもよい。
【００７８】
例えば、第一実施形態および第二実施形態において、雄側帯状基部２２１に薄肉部２２４を設けたが、図１７に示すように、雌側帯状基部２１１に薄肉部２２４を設けてもよい。さらに、雌側帯状基部２１１および雄側帯状基部２２１の双方に設けて、一方のみ接合領域Ｅのみで袋本体１０に取り付けるようにしてもよい。
また、第一実施形態および第二実施形態において、例えば図１８に示すように、咬合部Ｘのみ設ける構成としてもよい。さらに、図１８に示される通り、雌側帯状基部２１１および雄側帯状基部２２１の双方に薄肉部２２４を設けてもよい。この場合、一方のみ接合領域Ｅのみで袋本体１０に取り付けるようにしているので、改竄防止として袋本体１０に取り付けられていない切断片２２５を切除すればよい。また、双方に薄肉部２２４を設けているので、第三実施形態のように、双方の薄肉部２２４を袋本体１０の開口端１２側とともに切除することで、改竄防止できる。
【００７９】
また、咬合部Ｘ，Ｙの形状は、適宜変更できる。
例えば、図１９に示すように、開口端１２側に咬合部Ｙが位置するように形成してもよい。この図１９に示す構成では、開口端１２側に向けて突出する雄側鈎用爪部２２３Ｂは、第一の雄側鈎部２２２の第一雄側爪部２２２Ｂと同様に、断面山形状に形成しておくことで、物品Ｇの収納のために容易に開封できるようにしておくことが好ましい。
また、咬合部Ｘとしては、一つの突出部２２２Ａに、第一雄側爪部２２２Ｂおよび第二雄側爪部２２２Ｃを設けた断面やじり状に限らず、例えば図２０に示すように、第一の雄側鈎部２２２を幅方向に沿って分割し、３対の雄側鈎部および雌側鈎部を設けた構成としてもよい。
【００８０】
そして、開封用切断部３０としては、第一実施形態の袋本体１０に設ける構成に限らず、例えば図２０に示される通り、ジッパーテープ２０の雌側テープ部材２１と雄側テープ部材２２とにそれぞれ一体形成され、肉厚部５０Ａの間に肉薄部５０Ｂを有した直線カット部５０としたり、雌側テープ部材２１や雄側テープ部材２２から離れて設けられた直線カットフィルムを用いたりしてもよい。
なお、開封用切断部３０を必ずしも設けることを要しない。つまり、開封用切断部３０がなくても、ハサミなどの刃物で、袋本体１０を切断することで、物品Ｇの取り出しを行うことができる。
【００８１】
また、第一実施形態において、例えば図２１〜２３に示すように、咬合部Ｘ，Ｙ間に位置して、開口工程時に帯状基部の咬合部Ｘ，Ｙ間を折れ曲がりやすくするために、変形部６０を設けてもよい。
すなわち、図２１に示すように、帯状基部（雄側帯状基部２２１）の他の部位よりも薄肉に形成して、帯状基部（雄側帯状基部２２１）における厚さ方向での曲げ応力より小さい応力で厚さ方向に屈曲可能に変形部６０を形成する。また、図２２に示すように、厚さ寸法は他と変わらないものの、帯状基部（雄側帯状基部２２１）における厚さ方向での曲げ応力より小さい応力で厚さ方向に屈曲可能に、変形部６０を屈曲成形してもよい。さらに、図２３に示すように、変形部６０を断面Ｖ溝状に形成し、帯状基部の他の部位よりも薄肉に形成して、帯状基部における厚さ方向での曲げ応力より小さい応力で厚さ方向に屈曲可能としてもよい。さらには、これら変形部６０の部分を、帯状基部（雄側帯状基部２２１）より軟質の部材にて形成し、帯状基部（雄側帯状基部２２１）より曲げやすく構成してもよい。
【００８２】
また、ジッパーテープ２０として、例えば図２４に示すように、雌側帯状基部２１１および雄側帯状基部２２１における咬合部Ｘ，Ｙが連設された面と反対側の面に、リブ７０を突設しておくとよい。これらリブ７０は、袋本体１０と取り付けられない切断片２２５の部分に設けておくことが好ましい。すなわち、反対側の帯状基部（雌側帯状基部２１１）を基材フィルム１１にヒートシールする際に、治具が切断片２２５のリブ７０にも当接して良好に治具の熱圧着力を作用させることができるためである。
【００８３】
そして、第一実施形態において、ジッパーテープ２０に切断部２２６を設けて、切断片２２５を切断しやすくしたが、切断部２２６としては、例えば図２５に示されるとおり、袋本体１０の外面側から切断片２２５の両端部の領域を切断し、もしくは肉薄に潰して形成してもよい。
【００８４】
第三実施形態において、袋本体１０の収納空間１３側を摘んで開封しようとしても咬合を解除できないように、第一実施形態および第二実施形態のように複数の咬合部Ｘ，Ｙを設けた構成としてもよい。
なお、複数設けた咬合部Ｘ，Ｙとして、咬合部Ｘの第一雄側爪部２２２Ｂを第二雄側爪部２２２Ｃのように先端が折り返す形状とすることで、咬合力がより向上し、より改竄防止ができる。
【００８５】
そして、第三実施形態において、物品Ｇを収納した後に直線カット部５０で切断片２２５および袋本体１０の開口端１２側を切除したが、例えば図２６に示すように、あらかじめ切除しておいてもよい。
この図２６に示す構成では、咬合部Ｘが誤って咬合してしまうことを防止するために、雌側鈎部２１２および雄側鈎部２２２間にフィルムＡを介装しておく。そして、小売店や充填業者などでは、フィルムＡを取り除くとともに、袋本体１０の開口端１２Ａから収納空間１３に物品Ｇを収納後、雌側鈎部２１２および雄側鈎部２２２を咬合させればよい。
【産業上の利用可能性】
【００８６】
本発明は、例えば、雑貨、食品、薬品、医療品等の各種物品の収納時に封止する改竄防止用のジッパーテープ、このジッパーテープを備えた改竄防止用のジッパーテープ付袋体、および、このジッパーテープ付袋体に物品が収納された改竄防止袋に利用することができる。
【符号の説明】
【００８７】
１……ジッパーテープ付袋体
２……ジッパーテープ付袋体である改竄防止袋
３，４…製造装置
１０……袋本体
２０……ジッパーテープ
３１……配置部
３２……取付部（片側取付部，全面取付部）
４２……配置部としてのテープ操出装置
４３……取付部としてのテープ接着装置
６０……変形部
７０……リブ
２１１……帯状基部である雌側帯状基部
２１２……雌側鈎部
２１２Ｃ…咬合雌側爪部としての雌側爪部
２２１……帯状基部である雄側帯状基部
２２２……雄側鈎部
２２２Ｃ…第二雄側爪部
２２３Ｂ…咬合雄側爪部としての雄側鈎用爪部
２２４……薄肉部
２２６……切断部
Ｇ……物品
Ｇ１，Ｇ２…物品であるボトル
Ｔ……垂線
Ｘ，Ｙ…咬合部
Ｌ，Ｍ，Ｎ，Ｓ…斜面
θ，α，β…角
【図１】
2015217981.tif 000003
【図２】
2015217981.tif 000004
【図３】
2015217981.tif 000005
【図４】
2015217981.tif 000006
【図５】
2015217981.tif 000007
【図６】
2015217981.tif 000008
【図７】
2015217981.tif 000009
【図８】
2015217981.tif 000010
【図９】
2015217981.tif 000011
【図１０】
2015217981.tif 000012
【図１１】
2015217981.tif 000013
【図１２】
2015217981.tif 000014
【図１３】
2015217981.tif 000015
【図１４】
2015217981.tif 000016
【図１５】
2015217981.tif 000017
【図１６】
2015217981.tif 000018
【図１７】
2015217981.tif 000019
【図１８】
2015217981.tif 000020
【図１９】
2015217981.tif 000021
【図２０】
2015217981.tif 000022
【図２１】
2015217981.tif 000023
【図２２】
2015217981.tif 000024
【図２３】
2015217981.tif 000025
【図２４】
2015217981.tif 000026
【図２５】
2015217981.tif 000027
【図２６】
2015217981.tif 000028